(57)【要約】【課題】            液晶用のバックライトの蛍光灯のリード線をプリント基板側の端子線にハンダ付けしているが、蛍光灯の径が２．６〜５．０φと小さく、複数の蛍光灯が近接して配されることからハンダ付け作業が難しく、さらに、蛍光灯の熱と紫外線でハンダや周囲部材に悪影響を与えている。【解決手段】        基板（２）に、脚片（８）、保持片（１０）、弾性片（１１）を有するコネクター端子（７）を固定し、アクチュエータ（４）を保持片（１０）に回動自在に支持させる。蛍光灯（５）をハウジング（３）の受座（６’）に置き、アクチュエータ（４）を閉とし、蛍光灯（５）をハウジング（３）とアクチュエータ（４）とで保持し、同時にアクチュエータ（４）のカム壁（１８）を弾性片（１１）に押し付け、リード線（６）を本体（９）に圧接させる。【選択図】          図１
2005183011.tif 000002
【特許請求の範囲】
【請求項１】
基板上に配されるハウジングと、該ハウジングに対して回動自在なアクチュエータと、アクチュエータを回動自在に支持する保持片、基板に挿入される脚片、保持片と脚片と一体の本体、および本体と一体に成形されかつ本体に対して離間対向する弾性片とを有するコネクター端子とを備え、蛍光灯の端部がハウジングの受座に着座しかつそのリード線がコネクター端子の弾性片と本体との間に挿入されかつアクチュエータをハウジングに対して閉状態としたときアクチュエータのカム壁が弾性片を蛍光灯のリード線に圧接せしめることを特徴とする液晶用バックライト接続装置。
【請求項２】
ハウジングの受座が断面Ｖ又は上向きコの字状の溝形状をなし、アクチュエータが蛍光灯の径に相当する円弧面を有し、円弧面が蛍光灯の端部を受座に押し付ける請求項１記載の液晶用バックライト接続装置。
【請求項３】
脚片がカーブ部を有し、カーブ部が基板の孔の内壁に弾力的に接触する請求項２記載の液晶用バックライト接続装置。
【請求項４】
アクチュエータが開と閉状態を選択的に取ることができ、閉状態時アクチュエータの一部がハウジングの一部に係止され、アクチュエータの円弧面が蛍光灯の端部を覆いかつハウジングの受座に押し付ける請求項１又は３に記載の液晶用バックライト接続装置。
【請求項５】
基板上に配されるハウジングと、該ハウジングに対して回動自在に支持されたアクチュエータと、基板に挿入される脚片、保持片と脚片と一体の本体、および本体と一体に成形されかつ本体に対して離間対向する弾性片とを有するコネクター端子とを備え、蛍光灯の端部がハウジングの受座に着座しかつそのリード線がコネクター端子の弾性片と本体との間に挿入されかつアクチュエータをハウジングに対して閉状態としたときアクチュエータのカム壁が弾性片を蛍光灯のリード線に圧接せしめることを特徴とする液晶用バックライト接続装置。
【請求項６】
アクチュエータのカム壁が弾性片をして蛍光灯のリード線を本体に圧接せしめる請求項１又は５記載の液晶用バックライト接続装置。
【発明の詳細な説明】
【技術分野】
【０００１】
本発明は、液晶テレビ等に用いられるバックライト用蛍光灯のリード線をハンダレス手法によりプリント基板に電気的に接続するための装置に関する。
【背景技術】
【０００２】
液晶テレビ等に用いられるバックライト用の蛍光灯は液晶面の後方に複数本平行に配列され、各蛍光灯のリード線は基板に接続されている。
従来の装置の一例を図８に示す。該従来装置は、蛍光灯２１のリード線２２を端子線２３にハンダ付け２４した後、略Ｌ形のグロメット２５により蛍光灯２１の端部と端子線２３を覆う構成を備え、端子線２３の先端のコネクター２７をプリント回路基板２６のコネクター２８に接続する構成となっている。２９は反射板を示す。
【０００３】
【特許文献１】特開２００２−３６７４２２号公報
【特許文献２】特開２００３−２７９９８４号公報
【発明の開示】
【発明が解決しようとする課題】
【０００４】
図８に示すように、液晶用のバックライトとして用いられる蛍光灯２１はグロメット２５、コネクター２７付きの一つのユニットとして納品され、蛍光灯ユニットを受け取った者がコネクター２７を基板２６のコネクター２８に差し込む作業をしている。この蛍光灯ユニットを作る作業は工数のいる煩雑な作業となっている。
【０００５】
この種の蛍光灯は、２．６〜５．０φの径を有し、１０〜１５本近接して並設される。このため、各蛍光灯のリード線を端子線にハンダ付けする作業は限られた空間内の極めて細かな作業となり難しいものとなっている。
さらに、蛍光灯２１のリード線２２はニッケル・モリブデン合金からなり、その表面に銅メッキを施したものを用いている。このため、蛍光灯の封入作業時のバーナーの高温に曝された銅メッキが黒色に変質し、ハンダ付け作業の前にその変質部分を削りとる作業を必要とする。これが作業工数の増大の原因ともなっている。
【０００６】
それ故に、本発明は前述した従来技術の有する不具合を解消させることを解決すべき課題とする。
【課題を解決するための手段】
【０００７】
本発明は、前述した課題を解決するために、アクチュエータの閉（ロック）作業により、蛍光灯のリード線をアクチュエータのカム壁を用いコネクター端子に圧接させる技術手段を用いる。
【０００８】
この技術手段の採用は、アクチュエータの閉（ロック）作業により蛍光灯のリード線を端子に電気的に容易に接続可能とさせ得る。
【０００９】
本発明によれば、基板上に配されるハウジングと、該ハウジングに対して回動自在なアクチュエータと、アクチュエータを回動自在に支持する保持片、基板に挿入される脚片、保持片と脚片と一体の本体、および本体と一体に成形されかつ本体に対して離間対向する弾性片とを有するコネクター端子とを備え、蛍光灯の端部がハウジングの受座に着座しかつそのリード線がコネクター端子の弾性片と本体との間に挿入されかつアクチュエータをハウジングに対して閉状態としたときアクチュエータのカム壁が弾性片を蛍光灯のリード線に圧接せしめることを特徴とする液晶用バックライト接続装置が提供される。
【００１０】
さらに好ましくは、基板上に配されるハウジングと、該ハウジングに対して回動自在に支持されたアクチュエータと、基板に挿入される脚片、保持片と脚片と一体の本体、および本体と一体に成形されかつ本体に対して離間対向する弾性片とを有するコネクター端子とを備え、蛍光灯の端部がハウジングの受座に着座しかつそのリード線がコネクター端子の弾性片と本体との間に挿入されかつアクチュエータをハウジングに対して閉状態としたときアクチュエータのカム壁が弾性片を蛍光灯のリード線に圧接せしめることを特徴とする。
【発明の効果】
【００１１】
蛍光灯の端部は、アクチュエータの閉（ロック）状態により、アクチュエータによりハウジングに押し付けられ絶縁・ホールド状態となる。これは、並設する蛍光灯の端部を一直線上に揃えることを可能とする。
アクチュエータを代替させることで蛍光灯の径の変化に対応可能であり、本発明の装置の利用範囲は大となる。
ハウジングの受座は、蛍光灯のハウジングへの挿入を容易とさせかつ蛍光灯の振動を防止するのに有効である。
【００１２】
さらに、アクチュエータをコネクター端子にハウジングを介することなく直接支持させているので、アクチュエータのカム壁とコネクター端子との間の相対的寸法を一定とさせ、コネクター端子と蛍光灯のリード線との圧接力を安定させ得る。
本発明によれば、アクチュエータの閉状態時、弾性片の先端がリード線の表面をタイピングし、地肌を自動的に出すようにしているので、従来経験したようなリード線の表面への特別な作業（表面の変質部を除く）を必要としない。
【発明を実施するための最良の形態】
【００１３】
本発明の好ましい形態の液晶用バックライト接続装置１は、基板２に配される合成樹脂製ハウジング３と、該ハウジング３に対し回動自在な合成樹脂製アクチュエータ４を有し、蛍光灯５の一端部がハウジング３の受座６’に着座する。蛍光灯５のリード線６は基板２方向へとハウジング３内を延在する。
【００１４】
図２に示すようにアクチュエータ４をハウジング３に対し矢印方向に回動させることで、アクチュエータ４を閉とさせると、アクチュエータ４が蛍光灯５をハウジング３の受座６’に押し付け、蛍光灯５の振動を防止しかつ基板２に対する位置を一定とさせる。
【００１５】
図３と図４にコネクター端子７を示す。導電材からなるコネクター端子７は少なくとも２個の脚片８を備える本体９を有す。
本体９はその両側から平行に延在する対の保持片１０，１０と、両保持片１０，１０の間に位置しかつ本体９と離間対向する弾性片１１を一体に有す。弾性片１１は、その弾力を高めるカーブ部１２を有す。
【００１６】
コネクター端子７の脚片８，８は基板２の孔１３に挿入して、コネクター端子７を基板２に固定させる。脚片８，８は曲部１４を有し、曲部１４が孔１３の内壁面に弾力的に接し、コネクター端子７の基板２からの抜けを防止する。
【００１７】
ハウジング３の中空部内にコネクター端子７が位置し、その本体９の一部がハウジング３の内壁面に接する。
アクチュエータ４のアーム部１５に設けたピン部１６を保持片１０のピン孔１７に挿入し、アクチュエータ４をコネクター端子７とハウジング３に対し、開と閉状態との間を相対的に回転自在とさせる。
【００１８】
アクチュエータ４のアーム部１５の先端にカム壁１８が形成される。カム壁１８は、カーブ部１２に対向しかつ図５に示す開状態ではカーブ部１２の上方に位置する。
図６に示すように、アクチュエータ４のピン部１６を中心とする閉状態への回動はカム壁１８がカーブ部１２をリード線６方向に押し込み、弾性片１１がリード線６を本体９に密接させる。かくして、リード線６がコネクター端子７と電気的に接触することになる（図６参照）。この際、本体９はハウジング３の内壁面に接しているので、弾性片１１のみが弾性変形する。
【００１９】
図６に示すアクチュエータ４の閉（ロック）状態では、アクチュエータ４の円弧面１９が蛍光灯５を受座６’に押し付け、蛍光灯５の振動を防止させる。
受座６’への蛍光灯５の着座は、隣り合う蛍光灯５の端部を揃えるのに有効である。好ましくは、受座６’は断面Ｖ形又は上向きコの字状の形とさせ、蛍光灯５の径に関係なく同じハウジング３を用いる。蛍光灯５の径の変化に対しては、径の変化に対応する円弧面１９を有するアクチュエータ４を用いる。即ち、ハウジング３、コネクター端子７は常に同じ部品を使用できるので部品管理が容易となる。
【００２０】
図６に示す閉（ロック）状態を維持するために、アクチュエータ４をハウジング３に対しスナップ留めさせたり、アクチュエータ４のフック部材をハウジング３の段部に係止させたりしても良い。勿論、他の係止手段を用いることもできる。
【図面の簡単な説明】
【００２１】
【図１】本発明の一例の装置のアクチュエータの開状態を示す斜視図である。
【図２】アクチュエータの閉状態を示す斜視図である。
【図３】コネクター端子を示す斜視図である。
【図４】コネクター端子の縦断面図である。
【図５】アクチュエータの開状態の縦断面図である。
【図６】アクチュエータの閉状態の縦断面図である。
【図７】コネクター端子の脚片と基板との関係を示す部分断面図である。
【図８】従来の蛍光灯のリード線部分を示す断面図である。
【符号の説明】
【００２２】
２    基板
３    ハウジング
４    アクチュエータ
５    蛍光灯
６    リード線
７    コネクター端子
８    脚片
９    本体
１０    保持片
１１    弾性片
１２    カーブ部
１３    基板の孔
１４    曲部
１５    アーム部
１６    ピン部
１７    ピン孔
１８    カム壁
１９    円弧面
【図１】
2005183011.tif 000003
【図２】
2005183011.tif 000004
【図３】
2005183011.tif 000005
【図４】
2005183011.tif 000006
【図５】
2005183011.tif 000007
【図６】
2005183011.tif 000008
【図７】
2005183011.tif 000009
【図８】
2005183011.tif 000010